(57)【要約】      （修正有）【課題】手軽かつ迅速に組み立て、取り外しを行うことができるのみならず、要求に応じて異なる多機能のベビーベッドに組み立て成形できるベビーベッド構造を提供する。【解決手段】前板組１０と、２つの側板２０と、後板３０と、底板４０とから構成され、前板組は、第１前板１１と、第２前板１２と、押圧条１３とから構成され、第１前板は、第２前板を装着するための通抜部を有し、押圧条は、第２前板の頂縁に装着され、かつ押圧条の両端にそれぞれ係脱部材を有し、２つの係脱部材を利用して第２前板を第１前板の通抜部内に位置決めし、２つの側板の一側は、それぞれ第１前板と固設され、後板の両側は、それぞれ２つの側板と固設され、底板は、前板組、２つの側板及び後板から囲まれる空間内に装着して位置決めされる。【選択図】図１
0003217393.tif 000002
【実用新案登録請求の範囲】
【請求項１】
前板組と、若干の抜き溝を有する２つの側板と、若干の抜き溝を有する後板と、前記前板組、前記２つの側板及び前記後板から囲まれる空間内に装着して位置決めされる底板とを備えるベビーベッド構造改良であって、
前記前板組は、若干の抜き溝を有する第１前板と、若干の抜き溝を有する第２前板と、押圧条とから構成され、前記第１前板は、前記第２前板を装着するための通抜部を有し、前記押圧条は、前記第２前板の頂縁に装着され、かつ前記押圧条の両端にそれぞれ係脱部材を有し、前記２つの係脱部材を利用して前記第２前板を前記第１前板の前記通抜部内に位置決めし、
前記２つの側板の一側は、それぞれ前記第１前板と固設され、
前記後板の両側は、それぞれ前記２つの側板と固設されることを特徴とする、ベビーベッド構造改良。
【請求項２】
前記第１前板と前記第２前板との組付辺縁に、前記第２前板を収容するための第１凹溝を有することを特徴とする、請求項１に記載のベビーベッド構造改良。
【請求項３】
前記押圧条の前記第２前板に向う一側に、前記第２前板上に当接されるための第２凹溝を有することを特徴とする、請求項２に記載のベビーベッド構造改良。
【請求項４】
前記第１前板の頂縁位置付近にそれぞれ位置決め孔を有し、前記押圧条の両端にそれぞれ収容孔と、当該収容孔と相連通する摺動溝とを有し、また当該係脱部材は、凸棒と、押ボタンとから構成され、前記凸棒は、当該収容孔内に装着され、前記押ボタンは、前記凸棒上に固設されることで、前記押ボタンを当該摺動溝外から突出露出させて前記押ボタンを押動することによって、前記凸棒を当該収容孔外から伸出させると共に、当該位置決め孔内に挿入することを特徴とする、請求項１に記載のベビーベッド構造改良。
【請求項５】
前記後板の頂縁位置に装着される１つ以上の補助板をさらに備えることを特徴とする、請求項１に記載のベビーベッド構造改良。
【請求項６】
２つの保護板と、横棒とから構成される相互作動組立体をさらに備え、前記２つの保護板に若干の透孔が設けられ、かつ前記２つの保護板は、当該側板上に垂直固設されて、前記横棒の両端にそれぞれフック部を有し、各当該フック部は、それぞれ各当該保護板の透孔に引っ掛けて位置決めされることを特徴とする、請求項１に記載のベビーベッド構造改良。
【請求項７】
４つのキャスターをさらに備え、各当該キャスターは、それぞれ前記２つの側板の底縁両端に装着して位置決めされることを特徴とする、請求項１に記載のベビーベッド構造改良。
【請求項８】
両端にフック部を有する１つ以上の掛けフックをさらに備え、前記２つの側板の設定位置に当該掛けフックの当該フック部を掛止するための若干の掛け孔を有することを特徴とする、請求項１に記載のベビーベッド構造改良。
【請求項９】
１つ以上の平板をさらに備え、当該平板の両側にそれぞれ立片が固設され、各当該立片の一側にそれぞれフック部を有し、また当該平板は、各当該フック部を利用して前記後板の頂縁設定位置に掛合されることを特徴とする、請求項１に記載のベビーベッド構造改良。
【考案の詳細な説明】
【技術分野】
【０００１】
本考案は、「ベビーベッド構造改良」に関する、特に、使用者が手軽かつ迅速に組み立て、取り外しを行うことができる多機能のベビーベッドに関する考案を指す。
【背景技術】
【０００２】
従来より、一般既知のベビーベッドの大多数は、螺締やほぞ接合などの方式のいずれかを用いたり、あるいは螺締とほぞ接合の両種の方式を併用したりすることで、組み立て及び取り外し可能なベビーベッドに形成される。
【０００３】
しかしながら、その機能が単一となり、ベビーベッドのみとして使用され、乳幼児がだんだん大きくなって、ある時期からこのベビーベッドが不要になった時には、大抵の使用者は、それを取り外して保管することしかできず、機能性に極めて限られ、必ずしも経済的利益に合致せず、それゆえ、前述した既知の様々な欠点に着目すれば、実にさらなる改良が必要と考えられる。
【考案の概要】
【考案が解決しようとする課題】
【０００４】
従って、本考案の主な目的は、相互作動遊戯ベッド、成長に合わせたベッドや机などの多機能を持つ組み立てのベビーベッド構造改良を提供することにある。
【０００５】
本考案の別の目的は、使用者が手軽かつ迅速に組み立て、取り外しを行うことができるベビーベッド構造改良を提供することにある。
【課題を解決するための手段】
【０００６】
上記目的を達成するために、本考案が提出するベビーベッド構造改良は、前板組と、若干の抜き溝を有する２つの側板と、若干の抜き溝を有する後板と、底板とを備えるベビーベッド構造改良であって、
前記前板組は、若干の抜き溝を有する第１前板と、若干の抜き溝を有する第２前板と、押圧条とから構成され、前記第１前板は、前記第２前板を装着するための通抜部を有し、前記押圧条は、前記第２前板の頂縁に装着され、かつ前記押圧条の両端にそれぞれ係脱部材を有し、前記２つの係脱部材を利用して前記第２前板を前記第１前板の通抜部内に位置決めし、前記２つの側板の一側は、それぞれ前記第１前板と固設され、前記後板の両側は、それぞれ前記２つの側板と固設され、前記底板は、前記前板組と、前記２つの側板と、前記後板とから囲まれる空間内に装着して位置決めされる。
【考案の効果】
【０００７】
そのうち、前記第１前板と前記第２前板との組付辺縁に第１凹溝を有し、前記第１凹溝は、前記第２前板を収容するために供される。
【０００８】
そのうち、前記押圧条の前記第２前板に向う一側に第２凹溝を有し、前記第２凹溝は、前記第２前板上に当接される。
【０００９】
そのうち、前記第１前板の頂縁位置付近にそれぞれ位置決め孔を有し、前記押圧条の両端にそれぞれ収容孔と、当該収容孔と相連通する摺動溝とを有し、また当該係脱部材は、凸棒と、押ボタンとから構成され、前記凸棒は、当該収容孔内に装着され、前記押ボタンは、前記凸棒上に固設されることで、前記押ボタンを前記摺動溝外から突出露出させて前記押ボタンを押動することによって、前記凸棒を収容孔外から伸出させると共に、当該位置決め孔内に挿入する。
【００１０】
本考案は、１つ以上の補助板をさらに備えてもよく、当該補助板は、前記後板の頂縁位置に装着される。
【００１１】
本考案は、相互作動組立体をさらに備えてもよく、前記相互作動組立体は、２つの長条保護板と、横棒とから構成され、前記２つの保護板に若干の透孔が設けられ、かつ前記２つの保護板は、当該側板上に垂直固設されて、前記横棒の両端にそれぞれフック部を有し、各フック部は、それぞれ各保護板の透孔に引っ掛けて位置決めされる。
【００１２】
本考案は、４つのキャスターをさらに備えてもよく、各キャスターは、それぞれ前記２つの側板の底縁両端に装着して位置決めされる。
【００１３】
本考案は、両端にフック部を有する１つ以上の掛けフックをさらに備えてもよく、前記２つの側板の設定位置に当該掛けフックのフック部を掛止するための若干の掛け孔を有する。
【００１４】
本考案は、１つ以上の平板をさらに備えてもよく、当該平板の両側にそれぞれ立片が固設され、各立片の一側にそれぞれフック部を有し、また当該平板は、各フック部を利用して前記後板の頂縁設定位置に掛合される。
【図面の簡単な説明】
【００１５】
【図１】本考案の分解斜視模式図である。
【図２】本考案の一部組合せ斜視模式図である。
【図３】本考案の一部分解斜視模式図である。
【図４Ａ】本考案の係脱部材の拡大模式図（一）である。
【図４Ｂ】本考案の係脱部材の拡大模式図（二）である。
【図５】本考案の別の一部分解斜視模式図である。
【図６】本考案の実施例の外観模式図（一）である。
【図７】本考案の実施例の外観模式図（二）である。
【図８】本考案の実施例の外観模式図（三）である。
【図９】本考案の実施例の外観模式図（四）である。
【図１０】本考案の実施例の外観模式図（五）である。
【図１１】本考案の実施例の外観模式図（六）である。
【考案を実施するための形態】
【００１６】
まず、図１〜図１１を併せて参照して示すように、本考案に係るベビーベッド構造改良は、前板組１０と、若干の抜き溝２１を有する２つの側板２０と、若干の抜き溝３１を有する後板３０と、底板４０とを備え、前記前板組１０は、若干の抜き溝１１１を有する第１前板１１と、若干の抜き溝１２１を有する第２前板１２と、押圧条１３とから構成され、前記第１前板１１は、前記第２前板１２を装着するための通抜部１１２を有し、前記押圧条１３は、前記第２前板１２の頂縁に装着され、かつ前記押圧条１３の両端にそれぞれ係脱部材Ａを有し、前記２つの係脱部材Ａを利用して前記第２前板１２を前記第１前板１１の通抜部１１２内に位置決めする（図１及び図３参照）。
前記２つの側板２０の一側は、それぞれ前記第１前板１１と固設される（図１参照）。
前記後板３０の両側は、それぞれ前記２つの側板２０と固設される（図１参照）。
前記底板４０は、前記前板組１０と、前記２つの側板２０と、前記後板３０とから囲まれる空間内に装着して位置決めされる（図１参照）。
【００１７】
そのうち、前記第１前板１１と前記第２前板１２との組付辺縁に第１凹溝１１３を有し、前記第１凹溝１１３は、前記第２前板１２を収容するために供される（図３参照）。
【００１８】
そのうち、前記押圧条１３の前記第２前板１２に向う一側に第２凹溝１３１を有し、前記第２凹溝１３１は、前記第２前板１２上に当接される（図３参照）。
【００１９】
そのうち、前記第１前板１１の頂縁位置付近にそれぞれ位置決め孔１１４を有し、前記押圧条１３の両端にそれぞれ収容孔１３２と、当該収容孔１３２と相連通する摺動溝１３３とを有し、また当該係脱部材Ａは、凸棒Ａ１と、押ボタンＡ２とから構成され、前記凸棒Ａ１は、当該収容孔１３２内に装着され、前記押ボタンＡ２は、前記凸棒Ａ１上に固設されることで、前記押ボタンＡ２を前記摺動溝１３３外から突出露出させて前記押ボタンＡ２を押動することによって、前記凸棒Ａ１を収容孔１３２外から伸出させる（図４Ａ及び図４Ｂ参照）と共に、当該位置決め孔１１４内に挿入する。
【００２０】
本考案は、１つ以上の補助板５０をさらに備えてもよく、当該補助板５０は、前記後板３０の頂縁位置に装着される（図７参照）。
【００２１】
本考案は、相互作動組立体６０をさらに備えてもよく、前記相互作動組立体６０は、２つの長条保護板６１と、横棒６２とから構成され、前記２つの保護板６１に若干の透孔６１１が設けられ、かつ前記２つの保護板６１は、当該側板２０上に垂直固設されて、前記横棒６２の両端にそれぞれフック部６２１を有し、各フック部６２１は、それぞれ各保護板６１の透孔６１１に引っ掛けて位置決めされる（図５及び図６参照）。
【００２２】
本考案は、４つのキャスター７０をさらに備えてもよく、各キャスター７０は、それぞれ前記２つの側板２０の底縁両端に装着して位置決めされる（図６参照）。
【００２３】
本考案は、両端にフック部８１を有する１つ以上の掛けフック８０をさらに備えてもよく、前記２つの側板２０の設定位置に当該掛けフック８０のフック部８１を掛止するための若干の掛け孔２２を有する（図５参照）。
【００２４】
本考案は、１つ以上の平板９０をさらに備えてもよく、当該平板９０の両側にそれぞれ立片９１が固設され、各立片９１の一側にそれぞれフック部９２を有し、また当該平板９０は、各フック部９２を利用して前記後板３０の頂縁設定位置に掛合される（図５及び図６参照）。
【産業上の利用可能性】
【００２５】
なお、以上の組合せ構成によれば、続いて図１〜図１１を併せて参照して示すように、本考案は、前板組１０の両側をそれぞれ２つの側板２０の一端に固設すると共に、後板３０の両側を２つの側板２０の他端に固設し、最後に底板４０を前板組１０と、２つの側板２０と、後板３０とから囲まれる空間内に装着して位置決めしてから、本考案の組合せ式ベビーベッドになり、そのうち、側板２０上に相互作動組立体６０を装着することができ、２つの保護板６１を側板２０上に装着すると共に、横棒６２の両端のフック部６２１を利用して各保護板６１の透孔６１１に引っ掛けて位置決めし（図５及び図６参照）、こうしてベビーベッド内の乳幼児と相互作動遊戯を行うことができるようになり、大いに便利実用性があるものである。
【００２６】
次に、図８〜図１０を併せて参照して示すように、使用者は、押圧条１３上の係脱部材Ａを作動させると、押ボタンＡ２を押動することによって、凸棒Ａ１を押圧条１３の収容孔１３２内に入り込み（図４Ａ参照）、こうして押圧条１３及び第２前板１２を上向きに取り出すことができることから、年齢がやや上がった乳幼児のための、成長に合わせたベッドとして用いることができる（図９参照）と同時に、底板４０の高さを適当に調整することができるので（図１０参照）、種々の使用要求に応じられる。
【００２７】
さらに、続いて図１１を併せて参照して示すように、第２前板１２及び押圧条１３を取り外した後、ベッド組をさかさまに置いてから、底板４０の頂面に２つの補助板５０を固設することで、乳幼児が大きくなってくると、ある時期から机として用いることができるので、用途が非常に広くなるのみならず、組み立てが便利になり、かつその最大効用を発揮させることもでき、環境保護に大いに実用性がある。
【符号の説明】
【００２８】
Ａ：係脱部材
Ａ１：凸棒
Ａ２：押ボタン
１０：前板組
１１：第１前板
１１１：抜き溝
１１２：通抜部
１１３：第１凹溝
１１４：位置決め孔
１２：第２前板
１２１：抜き溝
１３：押圧条
１３１：第２凹溝
１３２：収容孔
１３３：摺動溝
２０：側板
２１：抜き溝
２２：掛け孔
３０：後板
３１：抜き溝
４０：底板
５０：補助板
６０：相互作動組立体
６１：保護板
６１１：透孔
６２：横棒
６２１：フック部
７０：キャスター
８０：掛けフック
８１：フック部
９０：平板
９１：立片
９２：フック部
【図１】
0003217393.tif 000003
【図２】
0003217393.tif 000004
【図３】
0003217393.tif 000005
【図４Ａ】
0003217393.tif 000006
【図４Ｂ】
0003217393.tif 000007
【図５】
0003217393.tif 000008
【図６】
0003217393.tif 000009
【図７】
0003217393.tif 000010
【図８】
0003217393.tif 000011
【図９】
0003217393.tif 000012
【図１０】
0003217393.tif 000013
【図１１】
0003217393.tif 000014